(57)【要約】【課題】おまる内に設けた排泄受の洗浄を容易にするしつけ機能付おまる及びそのおまるに用いる検知器の提供を目的とする。【解決手段】便座本体に着脱自在に設けた排泄受を有するおまるの便座本体に、排泄を検知する検知器を着脱可能な状態で取付けした。この検知器は排泄受内に配置されると共に、排泄を検知して音などを発する表示装置を作動させるようにした。この検知器は、絶縁性で合成樹脂よりなる軟質性の帯板に裸電線を配設することで、自由に変形するから排泄受の壁面にそって、固着することなく配置させることができる。排泄受に配置するだけの検知器は、便座本体から取外して容易に洗浄することができる。【選択図】　　　　図２
2004041632.tif 000002
【特許請求の範囲】
【請求項１】
排泄に際して着座する便座本体に、着脱自在に設けた排泄受を有するおまると
このおまるの前記便座本体に着脱自在に取付けられると共に、前記排泄受の底面に載置した排泄用の検知器と、
この検知器の検知により作動して、排泄を知らせる表示装置とからなるしつけ機能付おまる。
【請求項２】
排泄に際して着座する便座本体に、着脱自在に設けた排泄受を有するおまると、
このおまるの前記便座本体に設けたコンセントに取付けられると共に、このコンセントに差込まれるプラグをその一端に有し、前記排泄受の底面に載置した排泄用の検知器と、
この検知器の検知により作動して、排泄を知らせる表示装置とからなるしつけ機能付おまる。
【請求項３】
絶縁性の帯板と、
この帯板の一端に設けた接続用のプラグと、
このプラグに接続されて前記帯板に配設されると共に、水分により通電可能な一対の導電体とからなる検知器。
【請求項４】
絶縁体よりなる軟質性の帯板と、
この帯板の一端に設けた接続用のプラグと、
このプラグに接続されて前記帯板の長手方向に略平行に取付けられると共に、水分により通電可能な一対の線状導電体とからなる検知器。
【発明の詳細な説明】
【０００１】
【発明の属する技術分野】
本発明は、幼児に排泄のしつけをするおまるに関し、排泄後におまるの洗浄が簡単にできるように改善したしつけ機能付おまる及びそのおまるに用いる検知器に関する。
【０００２】
【従来の技術】
本発明の従来例について説明する。本発明の従来例としては、実開昭５８−３５９８号公報、実開昭５８−５８９６号公報及び実開平４−１３８３９５号公報がある。
これらに示すものは、排便を検知して音楽等を発生させるおまるであり、排便を受ける容器内に検知用のセンサーを固定した状態で取付けている。
また、実開平１−１７８７９３号公報に示すように、便座と排便受が一体となったおまるに、音や光を出す玩具と排便を検知するセンサーとをリード線で一体化して取付けたものもあった。
【０００３】
【発明が解決しようとする課題】
上述した排便を受ける容器内に排便を検知するセンサーを固定した状態のおまるは、容器やセンサーの部分をきれいに洗うことが面倒であるばかりでなく、突出状態で取付けたセンサーは、きれいに洗浄できなかった。
また、実開平１−１７８７９３号公報に示すように、便座と排便受が一体になったおまるは、もとから洗うことが困難であるのに玩具とセンサーとが一体化されて取付けられていると、更に洗浄が大変であった。
すなわち、従来例で示すこれらのしつけ用のおまるは、洗浄のことまで配慮したものではなく、不衛生になりがちであるという大きな欠点があった。
本発明は、このような不具合を解消するためになされたものであり、排泄受に配置する検知器を着脱可能にすることにより、洗浄を容易にすることができるしつけ機能付おまる及びそのおまるに用いる検知器の提供を目的とする。
【０００４】
【課題を解決するための手段】
上記不具合を解決するために、本発明は次のような構成としている。
請求項１に記載したしつけ機能付きおまるは、便座本体に着脱自在に排泄受を設けたおまるの便座本体に、着脱自在に取付けられると共に、前記排泄受の底面に載置される排泄用の検知器を配設した。
この検知器の検知により作動して、排泄を知らせる表示装置を、おまるに設けることでしつけ機能付おまるとした。
排泄を検知して音楽が発生する表示装置を作動させることで、幼児は排泄の楽しさを知り、排泄をおまるで行うことをしつけることができる。
表示装置の作動で保護者は、幼児が排泄したことを知り、ほめることで更にしつけが促進されると共に、着脱可能な検知器を取外して、排泄受の処理と洗浄とを容易にできるものである。
請求項２に記載したしつけ機能付おまるは、便座本体に着脱自在に排泄受を設けたおまるの便座本体にコンセントを設けると共に、このコンセントに差込まれるプラグをその一端に有し、前記排泄受の底面に配置する排泄検知用の検知器を設けた。
この検知器の検知により作動して排泄を知らせる表示装置を、おまるに設けることでしつけ機能付おまるとした。
この検知器は、コンセントとプラグとで接続することにより、検知器を着脱可能としたものであり、コンセントを便座本体に設けることで、排泄受からは検知器を取外すことができて、洗浄が容易になるものである。
請求項３に記載した検知器は、絶縁性よりなる帯板の一端に、接続用のプラグを設けると共に、このプラグに接続されて水分により通電可能な一対の導電体を前記帯板に取付けることで検知器とした。
帯板に一対の導電体を設けることにより、検知範囲を広くすることが可能で、この検知器は大小便を検知することができる。
請求項４に記載した検知器は、絶縁体よりなる軟質性の帯板の一端に、接続用のプラグを設けた。水分により通電可能な一対の線状導電体をこのプラグに接続すると共に、前記帯板の長手方向と平行に配設することで検知器とした。
【０００５】
【発明の実施の形態】
本発明について、図面を参照して説明する。図１は本発明のしつけ機能付おまるを示す斜視図、図２は図１の分解斜視図である。
図１で示すように、本発明のしつけ機能付おまる１０は、その一端に把手２０を設けた着座用の便座本体１３と、この便座本体内に収容された排泄受１６とからなるおまる１２と、このおまるに取付けたしつけ機能３０とからなる。
おまる１２は、図２で示すように、着座姿勢を安定化させるための把手２０をその一端に設けた便座本体１３と、この便座本体の他端側に設けた挿入口１４から出し入れする排泄受１６とからなる。このおまる１２は一般的な市販品であるから、しつけ機能３０について詳細に説明する。
【０００６】
しつけ機能３０は、便座本体に設けた把手２０部分に取付けられており、これについて図面を参照して説明する。図３は把手からしつけ機能を分解して示す斜視図、図４は図３の組立説明図である。
しつけ機能３０は、便座本体に設けた把手２０部分に取付けられて排泄を検知する検知器４０と、この検知器の検知により作動して音楽を発生させる表示装置５０とからなる。
検知器４０は、把手２０の着座側に着脱可能な状態で取付けられ、表示装置５０は、着座側とは反対の把手２０に嵌め込むと共に、図４で示すように把手２０の着座側に設けた小孔２５にねじを用いて固定している。
表示装置５０には、検知器接続用の接続部が設けられており、この接続部は図４で示すように、把手２０に設けた穴２４を介して、把手２０の外側から検知器４０を接続できるようにしている。
【０００７】
このように取付けた検知器４０と表示装置５０とについて、更に詳細に説明する。図５は検知器を示す斜視図、図６は図５の分解斜視図である。
図５で示すように検知器４０は、その一端に差込用としてのプラグ４１を設けた帯板４５と、この帯板に取付けした導電体４８とからなる。
この差込用としてのプラグ４１は、差込み口となるコンセントに差込んで通電させる一般的なものである。
帯板４５は、絶縁性で帯状よりなる軟質性の板であり、合成樹脂製のシートなどを用いている。この帯板４５には、その一端に前記プラグの刃を挿入するスリット状の穴や、プラグ４１に接続した導電体４８を通すための穴４６の他に、導電体４８を帯板４５にそって配設するために、略等間隔で並列に配置した小孔４７を設けている。
導電体４８は、リード線として一般的に用いられる裸電線であり、変形させることができる軟らかさを持っている。
【０００８】
このようなプラグ４１と帯板４５及び導電体４８は、図６で示すように組立する。
すなわち、プラグ４１のプラグ本体４２側に、電線よりなる導電体４８を取付けすると共に、これらの電線を帯板４５の穴４６に通すことで、帯板の表面側に露出させる。更に、この電線は小孔４７を介して裏面側に配設し、再び小孔４７を介して表面側に配設する。これをくり返して電線の終端部を、帯板４５の終端部で折返すことにより、両者を固定させる。
この導電体４８は２本の電線によって、互いに離間した状態で取付けられることになる。カバー４３をプラグ本体４２にねじ止めすることにより、帯板４５とプラグ４１とが固着されて検知器４０となる。
【０００９】
このように形成した検知器４０は、排泄物の水分が導電体４８である２本の電線にまたがるように付着すると、２本の電線が導通して電流を通すようにした検知器４０である。
この帯板４５は、軟質性であるから変形が可能であり、導電体４８としての電線を取付けるから、電線を変形させると帯板４５も電線の変形に追従することができる。
従って、この検知器４０を変形させることにより、便座本体１３や排泄受１６の壁面にそって配置させることができるという大きな特徴を持っている。
換言すれば、どのような壁面にも追従して、常に壁面にそって配置させることが可能である。しかも、プラグを抜くことによりおまると検知器は別々にできるから、排泄物の処理が簡単にできるものである。
【００１０】
表示装置５０について説明する。図７は表示装置の背面側を示す斜視図である。
図７で示すように表示装置５０は、筐体の背面側に、把手２０への取付手段であるねじ孔５８と、検知器４０を取付けするコンセント５５とを設けている。このコンセントは図４で示したように、把手２０に設けた穴２４に挿入できるように、少し突出させた状態で取付けしている。
また、この表示装置の表面側には、図３で示したように操作用の電源スイッチやリセット用のスイッチ類５１と、スピーカの放音口５２を設けている。この内部には図示しないが、検知器４０の検知により、音楽などを発生させるための電子回路や、スピーカ及びこれらの回路を作動させる電源用の電池などを収納している。
このように形成された表示装置５０は、図４で示すように把手２０に取付けするものである。
【００１１】
表示装置５０の他の取付方について、図８を参照して説明する。図８は表示装置の他の取付方を示す説明図である。
図７で示す表示装置５０は、コンセント５５を表示装置用の筐体に取付けて一体化しているが、コンセント部分のみをリード線で引き出して把手２０に取付けし、表示装置の筐体部分をおまるの外側に取付けすることもできる。
図８はこの例を示すものであり、コンセント部分を標示装置の筐体外に延出した状態で引出しすると共に、コンセント５５は前述例と同様の位置にねじ止めしている。
コンセントと標示装置の筐体間とを結ぶ図中の点線で示すリード線は、把手２０の一部に設けた穴を介して表示装置と接続している。
このような配置によれば、表示装置はどの位置にでも取付けることができるので、音だけでなく玩具を動かすように設定することにより、更に楽しく使用することができるものである。
【００１２】
検知器４０に用いる帯板４５として、合成樹脂製のシートで説明したが、これに限らず合成樹脂製の網状シートを用いても良い。この網状シートを帯状に切断して、網目を利用することにより、導電体である裸電線を通すための小孔４７を設ける必要がなくなる。網目に裸電線を通すだけであるから、製造が簡単になる。
このような網目を利用した検知器は、電線の間隔が自由に変えられると共に、電線の本数を２本から４本又は６本と増やすことも容易なので、検知する確率を向上させることができる。
また、その他にフレキシブル印刷配線板の両面に導体パターンを設けて、排泄を検知させるようにしても良い
【００１３】
以上説明した検知器４０と表示装置５０とは、コンセントとプラグを用いた着脱ではなく、両者を検知器付表示装置として一体化すると共に、おまるの把手２０部分又は便座本体側に埋め込むように配設して、検知器付表示装置をおまると着脱可能とするような構造でも良い。この場合の着脱構造は着脱が簡単にできるいわゆるワンタッチ構造や、吸盤等を用いた取付構造が良い。
要は、おまると検知器付表示装置とが独立した状態で取外しできると共に、検知器の検知部分のみが排泄受内に配置できれば良いものである。
【００１４】
【発明の効果】
以上説明したように本発明によれば、おまるの排泄受に検知器を固定しないようにしたことにより、以下の効果を得ることができた。
すなわち、排泄受に配置させる検知器は、検知部分のみであり、検知器の取付けはおまるの本体側で着脱可能にしたことによって、排泄後の処理が簡単になった。
これは、おまる本体から検知器と排泄受とが、それぞれ個別に取外すことができることで、排泄物の処理や洗浄が簡単にできるようになった理由による。
また、検知器は帯板を利用して裸電線を取付けたことにより、検知器は自由に変形してその姿勢を保つから、排泄受の壁面に固定することなく、その壁面にそって配置させることができるようになった。
【図面の簡単な説明】
【図１】本発明のしつけ機能付おまるを示す斜視図である。
【図２】図１の分解斜視図である。
【図３】把手からしつけ機能を分解して示す斜視図である。
【図４】図３の組立説明図である。
【図５】検知器を示す斜視図である。
【図６】図５の分解斜視図である。
【図７】表示装置の背面側を示す斜視図である。
【図８】表示装置の他の取付方を示す説明図である。
【符号の説明】
１０　しつけ機能付おまる
１２　おまる
１３　便座本体
１６　排泄受
２０　把手
３０　しつけ機能
４０　検知器
４１　プラグ
４５　帯板
４８　導電体
５０　表示装置
５５　コンセント
【図１】
2004041632.tif 000003
【図２】
2004041632.tif 000004
【図３】
2004041632.tif 000005
【図４】
2004041632.tif 000006
【図５】
2004041632.tif 000007
【図６】
2004041632.tif 000008
【図７】
2004041632.tif 000009
【図８】
2004041632.tif 000010